(57)【要約】【課題】小型で設置性を良くする。【解決手段】本体ケースにユニットケースを取り付けてなる電子機器のユニットケースにおいて，前記ユニットケースは本体ケースの底部に具備した本体シャーシに着脱自在に固着される第１のユニットケースと，該第１のユニットケースの前面側における一方側の角部に形成された係合段に対応した大きさと形状で，前記第１のユニットケースが本体シャーシに対して装着される装着方向に直交する方向で第１のユニットケースの長手方向に，該第１のユニットケースの係合段に対して着脱自在に固着される第２のユニットケースと，から成り，前記第１のユニットケースと前記第２のユニットケースとの装着方向に直交する平面上で対向配置する前記第１のユニットケースと前記第２のユニットケースの側面における前面側方と底部側方とに高周波コネクタを備え，第１のユニットケースと第２のユニットケースとを接続する。【選択図】  図３
2006135189.tif 000002
【特許請求の範囲】
【請求項１】
本体ケースにユニットケースを取付けてなる電子機器のユニットケースにおいて，
前記ユニットケースは本体ケースの底部に具備した本体シャーシに着脱自在に固着される第１のユニットケースと，
該第１のユニットケースの前面側における一方側の角部に形成された係合段に対応した大きさと形状であって，前記第１のユニットケースが前記本体シャーシに対して装着される装着方向に直交する方向で前記第１のユニットケースの長手方向に，前記第１のユニットケースの係合段に対して着脱自在に固着される第２のユニットケースと，から成り，
前記第１のユニットケースと前記第２のユニットケースとの装着方向に直交する平面上で対向配置する前記第１のユニットケースと前記第２のユニットケースの側面における前面側方と底部側方とに高周波コネクタを備えさせて，前記第１のユニットケースと前記第２のユニットケースの間で相互に接続されるように構成したことを特徴としたユニットケース。
【請求項２】
前記高周波コネクタを備えた前記第２のユニットケースの側面における両端部から連設されてなる一方の底面側側面には，前記第２のユニットケースを前記第１のユニットケースに装着するときに，前記一方の側の側面と対向する位置にある前記第１のケースの側面との間で，前記第２のユニットケースを装着方向に導入するための係合手段と，
他方の前面側側面には前記第１のユニットケースとの間で前記第２のユニットケースを固着する固着手段と，を備えたことを特徴とした請求項１に記載のユニットケース。
【発明の詳細な説明】
【技術分野】
【０００１】
本発明は，主にテレビ共同受信用増幅装置のケース本体に装着されるユニットケースに関し，詳しくはそのユニットケースの構造に関する。
【背景技術】
【０００２】
従来のテレビ共同受信用関連機器としては，例えば受信点で受信したテレビ信号をチャンネル毎にそれぞれチャンネル専用増幅器で増幅したり周波数変換したりして，伝送に適した信号にまとめて出力するテレビ共同受信用増幅装置が知られているが，これに用いられるチャンネル専用増幅器はそれぞれユニットケースに収納されてユニット化されている。
このようなユニットケースの一般的な構成として，入力分波若しくは周波数変換部ユニット，増幅ユニット及び出力混合部ユニット等をユニット内に収納させたユニットケースを本体ケースに対して接栓プラグと接栓座とが挿脱されると共に，本体ケースに固定手段で着脱自在に固着されるように構成されたものがある。
また入力分波若しくは周波数変換部と，増幅部と，出力混合部をそれぞれユニット化して各ユニットを相互に係合させて本体ケース内に収納させてなるユニットケースを採用されているものが知られている。この実施例では増幅ユニットには係合段を対設し，前記入力分波若しくは周波数変換部ユニット及び出力混合部ユニットには受段を設け，増幅器ユニットと両側ケースは上記係合段と受段の間に設けられた接栓で接続され，両ケースは本体ケースに対して接栓で接続すると共に本体ケースに固定手段で着脱自在に固着するように構成されている。（例えば，特許文献１参照）
【０００３】
【特許文献１】実公平６−４８９１１号公報
【発明の開示】
【発明が解決しようとする課題】
【０００４】
しかし，従来のユニットケースによると，入力分波若しくは周波数変換部と，増幅部と，出力混合部が同じ筐体内に収納されてなるものは，例えば伝送するためのチャンネルを変更する場合などの必要性が生じた場合，ユニット全てを変更する必要があった。
また入力分波若しくは周波数変換部と，増幅部と，出力混合部をそれぞれユニット化して各ユニットを相互に係合させて本体ケース内に収納させてなるユニットケースを採用されているものである場合は，上記のようなチャンネル変更においては例えば増幅ユニットを利用して入出力のユニットを変更することで対応可能となるのであるが，従来例に示すような構成では，構造が複雑になるばかりでなく，相互に重ねながら係合する構成であり増幅ユニットを取外さないとフィルタユニットが外せないといった操作性の悪さが問題であった。
そこで本願においては，こうした問題点を解決するためになされたものであり，
その目的は，取外し取付けの操作性のよい電子機器のユニットケースを提供することにある。
他の目的は，特に壁面，柱体などに取付けられて，長さ方向に列設下ユニットケースを具備する電子機器に適したユニットケースを提供することにある。
他の目的は，ユニットケースを取付ける為の特別なスペースを必要としない電子機器用に適したユニットケースを提供することにある。
他の目的はテレビ共同受信用の受信関連機器に適したユニットケースを提供することにある。
【課題を解決するための手段】
【０００５】
上記課題を解決するために，請求項１の発明は，本体ケースにユニットケースを取り付けてなる電子機器のユニットケースにおいて，前記ユニットケースは本体ケースの底部に具備した本体シャーシに着脱自在に固着される第１のユニットケースと，該第１のユニットケースの前面側における一方側の角部に形成された係合段に対応した大きさと形状であって，前記第１のユニットケースが前記本体シャーシに対して装着される装着方向に直交する方向で前記第１のユニットケースの長手方向に，前記第１のユニットケースの係合段に対して着脱自在に固着される第２のユニットケースと，から成り，
前記第１のユニットケースと前記第２のユニットケースとの装着方向に直交する平面上で対向配置する前記第１のユニットケースと前記第２のユニットケースの側面における前面側方と底部側方とに高周波コネクタを備えさせて，前記第１のユニットケースと前記第２のユニットケースの間で相互に接続されるように構成した。
【０００６】
請求項２の発明は，請求項１に記載のユニットケースにおいて，前記高周波コネクタを備えた前記第２のユニットケースの側面における両端部から連設されてなる一方の底面側側面には，前記第２のユニットケースを前記第１のユニットケースに装着するときに，前記一方の側の側面と対向する位置にある前記第１のケースの側面との間で，前記第２のユニットケースを装着方向に導入するための係合手段と，他方の前面側側面には前記第１のユニットケースとの間で前記第２のユニットケースを固着する固着手段と，を備えた。
【発明の効果】
【０００７】
請求項１の発明によれば，本体ケースにユニットケースを取り付けてなる電子機器のユニットケースにおいて，前記ユニットケースは本体ケースの底部に具備した本体シャーシに着脱自在に固着される第１のユニットケースと，該第１のユニットケースの前面側における一方側の角部に形成された係合段に対応した大きさと形状であって，前記第１のユニットケースが前記本体シャーシに対して装着される装着方向に直交する方向で前記第１のユニットケースの長手方向に，前記第１のユニットケースの係合段に対して着脱自在に固着される第２のユニットケースと，から成り，
前記第１のユニットケースと前記第２のユニットケースとの装着方向に直交する平面上で対向配置する前記第１のユニットケースと前記第２のユニットケースの側面における前面側方と底部側方とに高周波コネクタを備えさせて，前記第１のユニットケースと前記第２のユニットケースの間で相互に接続されるように構成したので，
第１のユニットケースの前面側角部に，第２のユニットケースの大きさと形状に対応する係合段を設け，該係合段に前記第２のユニットケースを装着しても，全体の大きさが第１のユニットケースの外周が形成する四角形状から殆ど突出することが無くほぼ同じ外径となるコンパクトな設計ができ，テレビ共同受信増幅装置に用いるチャンネル専用増幅器のように，上下方向に縦長な形状のものを本体ケース内部に具備された本体シャーシに複数個並列に並べるような場合であっても，前記本体ケース内部に有効に収納できるように薄型且つ小型化のユニットケースが構成でき，延いては本体ケースの小型化が実現することができる電子機器に好適なユニットケースを提供できる。
【０００８】
更に，第２のユニットケースは，前記第１のユニットケースの装着方向に長手方向がくるように長方形状に形成されており，この長手方向の第１のユニットケース及び第２のユニットケースの相互に近接して対抗配置される側面には，例えば第１のユニットケースからの信号を接続するための一方の高周波コネクタと，この高周波コネクタとは高周波特性に影響のない所定寸法離して備えられ，第２のユニットケースからの信号を第１のユニットケースに戻すための第２の高周波コネクタとが備えられ，この高周波コネクタを介して第１のユニットケースと第２のユニットケースとの間で電気的に接続されるように構成され，更にこの第２の高周波コネクタの近傍には，第１のユニットケースに備えられた出力接栓座を配設すると共に，このＦ型接栓座とは所定距離だけ離れた位置に入力接栓座を配設するように構成することによって，何れのユニットにおいてもユニット内における信号の引き回しにおいて，高周波特性に影響がでるような部品の配置や配線に無理を生じることが無いので，高周波特性の優れた設計が容易にできるのである。
【０００９】
請求項２の発明によれば，請求項１に記載のユニットケースにおいて，前記高周波コネクタを備えた前記第２のユニットケースの側面における両端部から連設されてなる一方の底面側側面には，前記第２のユニットケースを前記第１のユニットケースに装着するときに，前記一方の底面側側面と対向する位置にある前記第１のケースの側面との間で，前記第２のユニットケースを装着方向に導入するための係合手段と，他方の前面側側面には前記第１のユニットケースとの間で前記第２のユニットケースを固着する固着手段と，を備えたので，
第２のユニットケースは第１のユニットケースに取り付けた状態であっても，上方向に高周波コネクタが外れる分だけ移動させれば，本体ケースの前方側に容易に取り外しが可能であるばかりでなく，取り付ける場合であっても，前記係合手段によって第１のユニットケースに備えた高周波コネクタと第２のユニットケースに備えた高周波コネクタが確実に装着できるように導かれるように構成されており，取付性の容易性を損なうことがない。
この事は，言い換えれば，例えば共同受信に伝送するチャンネルを変更する必要が生じた場合など，予め条件を満たす出力フィルタユニットを用意して，現場であっても第１のユニットケースを設置したままで，この前面側から切替手段等によってチャンネルを設定して，出力フィルタユニットを取り替えるだけでチャンネル変更工事が可能といった変更工事の容易性を高めるユニットケースを提供できるのである。
【発明を実施するための最良の形態】
【００１０】
以下に，本発明を具体化した実施形態の例を，図面を基に詳細に説明する。
図１は本願のユニットケースを用いた実施例のテレビ共同受信用増幅装置の斜視図を示す。図２は各ユニットの電気的接続の状態を示す概略回路図である。図３はユニットケースの接続の状態を示す説明図。図４は第１のユニットケースと第２のユニットケースの取り付け状態を示す拡大斜視図である。図５は図４におけるＡ−Ａ線断面図である。図６は図４におけるＢ−Ｂ線断面図である。
【実施例１】
【００１１】
本願のユニットケースを用いた好適な例として図１にテレビ共同受信用増幅装置の構成を示す。尚，以下の説明においては特に明記しない限り図１に示す状態における方向を基準として用いて説明する。
図１に示す実施例では本体ケース３０の内部には，図には示されない下部に備えられた入力端子から入力された信号を所定数に分配・増幅するための入力部ケース２と，本体ケース内部の側部と上部に備えられた電源部ケース３，４が配設され，図示されていない出力混合部５を本体ケースの後面底部に配設させてあり，夫々がなす空間に本願のテレビ共同受信用増幅装置を構成するチャンネル専用増幅器ユニット１が所定数だけ並列に接続されて収納されている。尚，本願のチャンネル専用増幅器ユニット１はプロセッサーユニット１１と出力フィルタユニット２１が夫々独立したユニットケースとして相互に接続されたものであるように構成されている。尚，本願の実施例では前記プロセッサーユニット１１は請求項に記載の第１のユニットケースであり，前記出力フィルタユニット２１は請求項に記載の第２のユニットケースである。
【００１２】
このように構成されたテレビ共同受信増幅装置の概略回路図を図２に示す。この実施例では，入力ＩＮより入力されたテレビ信号は入力部２において８分配されている。尚，この入力部２には必要に応じて増幅器を挿入して分配損失を補償するようにしても良い。
夫々の信号は各チャンネル専用増幅器１に入力されるのであるが，このチャンネル専用増幅器１においては，先ずプロセッサーユニット１１において所定のチャンネルを選択的に選んでから，所定のチャンネルに周波数変更して出力するように構成されており，例えば地上ディジタルテレビジョン放送（ＯＦＤＭ）の信号から所定の一波を選択し，該信号をミッドバンド若しくはスーパーハイバンドのチャンネルに変換して出力されるように構成されている。
このように出力された信号は該信号に対応する出力フィルタユニット２１を介して，出力混合部５に入力され，他のチャンネル専用増幅器からの出力信号と混合され，出力増幅ユニット６において増幅された後に出力端子ＯＵＴを介して出力されるように構成されている。
【００１３】
次に本体ケース３０に各ユニットケースを取り付けるときの状態について図３〜６を用いて説明する。
入力部ケース２，電源部ケース３，４がなす空間のケース本体３０の底部には，本体シャーシ３１が備えられている。
本体シャーシ３１には前記チャンネル専用増幅器ユニット１が複数列にわたって取り付けられるのであるが，本体シャーシ３１にはＦ型接栓座３２，３３が備えられており，チャンネル専用増幅器ユニット１のプロセッサーユニット１１には，該ユニット１１の側面であって前記Ｆ型接栓座３２，３３に対向する位置にＦ型接栓１２，１３が備えられ，前記Ｆ型接栓座３２，３３とＦ型接栓１２，１３とはプラグ接続して挿脱できるような接栓接続方式で構成されていると共に，プロセッサーユニット１１の上部において該本体シャーシ３１に対してネジ棒３４でもって固着されており，プロセッサーユニット１１の下部においては本体ケース３０に固着された入力部ケースにネジ棒３５で固着されている。尚，本願の実施例では前記出力混合部５は説明を容易とするために図示されていないが本体シャーシ３１内部に配設させても良いし，特に限定されるものではない。
【００１４】
更にプロセッサーユニット１１の上部には，出力フィルタユニット２１を取り付ける為の大きさと形状からなる係合段１５が形成されており，該出力フィルタユニット２１と前記プロセッサーユニット１１とは，前記係合段部の接続面１５ａに備えた高周波接栓２７，２８において接栓接続方式で接続されると共に，係合面１５ｂにおいては前記出力フィルタユニット２１の図に対する手前方向と後方向の動きを制限するための係合手段２９で係合されており，図に示すように出力フィルタユニット２１は，本体ケース３０の前面方向（図３の左側方向から右側方向）からプロセッサーユニット１１に対して着脱自在に取り付けができるのである。
【００１５】
次に前記プロセッサーユニット１１と出力フィルタユニットについて図４（ａ），（ｂ）を用いて更に詳細に説明する。
図４（ａ）に示すようにプロセッサーユニット１１はアルミダイカスト等の導電材料をを成形して形成した枠体１４に，金属材料を金型成形して，前記枠体に摺動固着するように周縁に係止爪を一体に形成した蓋体１４ａ，１４ｂから成る，シールド性の良いケース構成でできており，前記枠体１４の前面側（図４の左方側）には，この面と対向するように金属材料で形成された表示板２２がネジ棒等によって枠体１４に固着されている。
前記枠体１４の前面側側面からは，プロセッサーユニット１１のチャンネルの選択や，出力レベルの調整が行うことができる図示されていない切替手段や選択手段の操作部を突出させる操作孔が設けられ，前記切替手段や選択手段の操作が前面側から可能になるように構成されており，更に該枠体の前面側に備えられた表示板２２には，該表示板２２からも確実に操作できるようにするための，前記操作部や型式等の表示を行うことができる合成樹樹脂材等で形成された表示手段を取り付けることもできる。
図４（ｂ）には出力フィルタユニット２１を示す。この出力フィルタユニット２１は金属材料を折り曲げ成形した枠体２４と，金属材料を金型成形して，前記枠体２４に摺動固着するように周縁に係止爪を一体に形成した蓋体２４ａ，２４ｂとから成り，これによってシールド性の良いケース構成となっている。
【００１６】
プロセッサーユニット１１の前方側角部には係合段１５が形成されている。この係合段１５は，前記出力フィルタユニット２１の大きさと形状に対応するように形成されており，該フィルタユニット２１と前記プロセッサーユニット１１と対向する側面の内，該プロセッサーユニット１１を本体シャーシ３１へ取り付けるときの方向（図４（ａ）左側方向から右側方向）に平行となる側面からなる接続面１５ａには，プロセッサーユニット１１と出力フィルタユニット２１との側面の相互に対向する位置にプラグ接続可能な高周波コネクタ２７，２８が対設させてあり，本願の実施例においては，前記プロセッサーユニット１１側には雌型のコネクタ２７ａ，２８ａが，前記出力フィルタユニット２１側には雄型のコネクタ２７ｂ，２８ｂが具備されており，このコネクタが接続されることによって，前記出力フィルタユニット２１ではプロセッサーユニット１１から出力された信号から必要な信号成分のみを通過させ，帯域外の信号を通過させないように処理をしてから，改めてプロセッサーユニット１１に希望波だけの信号を戻すように構成されている。尚，出力フィルタユニット２１は例えばバンドパスフィルタで構成しても良いしハイパスフィルタとロウパスフィルタとの組合せで構成しても良いし特にフィルタ構成を限定するものではない。
【００１７】
更に，該フィルタユニット２１と前記プロセッサーユニット１１と対向する面の内，該プロセッサーユニット１１を本体シャーシ３１へ取り付けるときの方向（図４（ａ）左側方向から右側方向）に直交する側面からなる係合面１５ｂには，プロセッサーユニット１１と出力フィルタユニット２１との側面に，プロセッサーユニット１１と出力フィルタユニット２１とに具備された高周波コネクタを接続するときに，その接続を容易に行うための係合手段２９が備えられている
この係合手段２９は，係合面１５ｂのプロセッサーユニット１１側の側面には該側面の長手方向に長辺を有した突状体２９ａが形成されており，係合面１５ｂの出力フィルタユニット２１側の側面には前記突状体２９ａの長辺側の両端部と係合する位置に，前記突状体２９ａの長辺より長く，該突状体２９ａの突設寸法よりやや短く形成した突片２９ｂ・２９ｂを突設させ，プロセッサーユニット１１と出力フィルタユニット２１とに具備された高周波コネクタを接続するときに，突片２９ｂと突片２９ｂとの間の出力フィルタユニット２１の枠体表面に前記突状体２９ａ上面を当接させながら出力フィルタユニット２１を接合面１５ａ方向に押し込めば，前記係合手段２９に導かれて，前記高周波コネクタは相互に対向した位置に配設されることになりこの高周波コネクタの接続が容易にできる構成となっているのである。
【００１８】
更にプロセッサーユニット１１の前記突状体２９ａに連設して，略中央に貫通孔２５ａを備えた係止爪２５を枠体１４の側面から突設させてあり，前記貫通孔２５ａにネジ棒３４を挿通させて，該ネジ棒３４を本体シャーシ３２に螺合させて前記プロセッサーユニット１１を本体シャーシに固着できるように構成されている，
また前面に備えた表示板２２の上端部には固着手段２２ａが形成されており，該固着手段２２ａに備えたネジ棒３６を出力フィルタユニット２１に形成されたネジ孔２３に螺合することによって，前記出力フィルタユニット２１は前記プロセッサーユニットに固着されるのである。
尚，図５は図４にけるＡ−Ａ線断面図であり，図６はＢ−Ｂ線断面図である。
【００１９】
このように本願によれば，本体ケース３０内部に複数個並列に並べて収納するテレビ共同受信増幅装置に用いるチャンネル専用増幅器１のように，上下方向に縦長な形状のものを本体ケースに有効に収納し，薄型且つ小型化するために，プロセッサーユニット１１の前面側角部に，出力フィルタユニット２１の大きさと形状に対応する係合段を設け，該出力フィルタユニット２１を装着しても，全体の大きさがチャンネル専用増幅器１の外周が形成する四角形状から殆ど突出することが無くほぼ同じ形状となるコンパクトな設計ができ，延いては本体ケース３０の小型化が実現できるのである。
【００２０】
更に，出力フィルタユニット２１は，前記プロセッサーユニット１１の装着方向に長手方向がくるように長方形状に形成されており，この長手方向のプロセッサーユニット１１及び出力フィルタユニット２１の相互に近接して対抗配置される側面には，例えばプロセッサーユニット１１からの信号を接続するための一方の高周波コネクタと，この高周波コネクタとは高周波特性に影響のない所定寸法離して備えられ，出力フィルタユニット２１からの信号をプロセッサーユニット１１に戻すための第２の高周波コネクタとが備えられ，この高周波コネクタを介してプロセッサーユニット１１と出力フィルタユニット２１との間で電気的に接続されるように構成され，更にこの第２の高周波コネクタの近傍には，プロセッサーユニット１１に備えられた出力接栓座を配設すると共に，このＦ型接栓座とは所定距離だけ離れた位置に入力接栓座を配設するように構成することによって，何れのユニットにおいてもユニット内における信号の引き回しにおいて，高周波特性に影響がでるような部品の配置や配線に無理を生じることが無いので，高周波特性の優れた設計が容易にできるのである。図３に示す各ユニット内に記載された一点鎖線で示す矢印は，この効果を視覚的に説明するために信号の流れを簡略化して記載したものである。
【００２１】
また，出力フィルタユニット２１はプロセッサーユニット１１に取り付けた状態であっても，上方向に高周波コネクタが外れる分だけ移動させれば，本体ケース３０の前方側に容易に取り外しが可能であるばかりでなく，取り付ける場合であっても，係止面１５ｂに形成された前記係合手段２９によって，プロセッサーユニット２７ａ，２８ａと出力フィルタユニット２１の高周波コネクタ２７ｂ，２８ｂが確実に装着できるように導かれるように構成されているので，取付性の容易性を損なうことはない。
この事は，言い換えれば，例えば共同受信に伝送するチャンネルを変更する必要が生じた場合など，予め条件を満たす出力フィルタユニットを用意して，現場であってもプロセッサーユニット２１を設置したままで，この前面側から切替手段等によってチャンネルを設定して，出力フィルタユニットを取り替えるだけでチャンネル変更工事が可能といった変更工事の容易性を高める効果があるのである。
尚，本発明は上記実施の形態に限定されるものではなく，本発明の趣旨を逸脱しない範囲で各部の構成を適宜に変更して実施することも可能である。
【図面の簡単な説明】
【００２２】
【図１】本願のユニットケースを用いた実施例のテレビ共同受信用増幅装置の斜視図を示す。
【図２】各ユニットの電気的接続状態を示した回路図である。
【図３】ユニットケースの接続の状態を示す説明図。
【図４】第１のユニットケースと第２のユニットケースの取り付け状態を示す拡大斜視図である。
【図５】図４におけるＡ−Ａ線断面図である。
【図６】図４におけるＢ−Ｂ線断面図である。
【符号の説明】
【００２３】
１…チャンネル専用増幅器，２…入力部ケース，３…電源部ケース，４…電源ケース，５…出力混合部，６…出力増幅部ユニット，１１…プロセッサーユニット（第１のユニットケース），１２・１３…Ｆ型接栓，１４…枠体，１４ａ・１４ｂ…蓋体，１５…係合段，１５ａ…接合面，１５ｂ…係合面，２１…出力フィルタユニット（第２のユニットケース），２２…表示板，２２ａ・２２ｂ…固着手段，２３…ネジ孔，２４…枠体，２４ａ・２４ｂ…蓋体，２５…係止爪，２５ａ…貫通孔，２７・２８…高周波コネクタ，２９…係合手段，２９ａ…突状体，２９ｂ・２９ｂ…突片，３０…本体ケース，３１…本体シャーシ，３２・３３…Ｆ型接栓座，３４・３５・３６…ネジ棒
【図１】
2006135189.tif 000003
【図２】
2006135189.tif 000004
【図３】
2006135189.tif 000005
【図４】
2006135189.tif 000006
【図５】
2006135189.tif 000007
【図６】
2006135189.tif 000008